(57)【要約】  【課題】キャップの開閉を容易にするとともに、キャップの緩みに起因する内容物の漏出を防止する。  【解決手段】側壁１６の内面に容器口部１と螺合するねじ部１６ａを設け、該側壁１６に連続する頂壁１２のスポイト挿入口１４にスポイト２を挿着するとともに、該頂壁１６の内面を前記スポイト２のフランジ部９上面に当接せしめたスポイト付きキャップであって；前記側壁１６の下端部に、該側壁１６の内径Ｌより大径の係止筒壁２０を連続して設け、該係止筒壁２０の内面に、前記容器口部１のビード２２に係合する係止突起２４を設け、該係止筒壁２０に縦弱化部２６を設ける。  【選択図】  図  ３
2006347551.tif 000002
【特許請求の範囲】
【請求項１】
側壁の内面に容器口部と螺合するねじ部を設け、該側壁に連続する頂壁のスポイト挿入口にスポイトを挿着するとともに、該頂壁の内面を前記スポイトのフランジ部上面に当接せしめたスポイト付きキャップであって；
前記側壁の下端部に、該側壁の内径より大径の係止筒壁を連続して設け、
該係止筒壁の内面に、前記容器口部のビードに係合する係止突起を設け、
該係止筒壁に縦弱化部を設けたことを特徴とするスポイト付きキャップ。
【請求項２】
前記縦弱化部が、切り欠き部、又は、薄肉部であることをすることを特徴とする請求項1記載のスポイト付きキャップ。
【請求項３】
前記係止筒壁の肉厚が、側壁のそれより薄いことを特徴とする請求項１，又は、２記載のスポイト付きキャップ。
【請求項４】
前記側壁から係止筒壁にいたる外周面には、指掛け突起を連続して設けたことを特徴とする請求項１、２、３記載のスポイト付きキャップ。
【発明の詳細な説明】
【技術分野】
【０００１】
この発明は、医薬容器、化粧容器などに用いられるスポイト付きキャップに関するものである。
【０００２】
容器口部に螺着されるスクリュー式キャップは、密封性を確保するため、キャップの頂壁内面と容器口部の上面との間にパッキンが設けられている。
このキャップでは、閉蓋時にパッキンによじれが生じると、そのよじれが元の状態に戻ろうとする復元力が働き、キャップが緩んでしまう。そのため、容器に収容した内容物が漏出するおそれがある。
【０００３】
そこで、キャップの緩みを防止するために、次のようなキャップが開発されている（例えば、特許文献１，参照）。即ち、
容器本体の円筒状口頸部の外周壁面に、上端又は下端に位置する係止周溝を形成し、蓋体の内周壁面の上部又は下部に、前記容器本体の係止周溝に対応する係止片を設けたスクリューキャップ。
【０００４】
【特許文献１】実開平２−１１０５２号
【発明の開示】
【発明が解決しようとする課題】
【０００５】
従来例には、次のような問題がある。
（１）係止片を蓋体の内周壁面に設けたため、係止片の撓み代が規制されてしまう。このことは、キャップを回転させ、係止片を係止周溝に係合させたり、その係合を解除させたりして、蓋を開閉せしめる際に、係止片に大きな摩擦抵抗を生じ、大きな回転トルクが必要となる。そのため、力の弱い人にとっては、キャップの開閉を円滑に行うことが困難となる。
【０００６】
（２）係止片（係止突部）と係止周溝との係合力が充分でないことが挙げられる。パッキンに弾性の高い可撓性の材質を用いると、例えば消費者が容器をカバンに入れて持ち運びしている時に、キャップの頂壁内面に当接しているパッキンの復元力により、ねじが緩んでしまい内容物が漏出してしまう。係合力を高めるために係止片（係止突部）と係止周溝とのオーバーラップ代を多くとることが考えられるが、係止片は蓋体の内周壁の内面に設けられているために、係止突部の設計の自由度が極端に限定されてしまう。
（３）化粧品を収容した比較的容量の小さい容器に用いられるキャップは口径が小さいものとなり、手で摘み難い。
【０００７】
この発明は、上記事情に鑑み、キャップの開閉を容易にするとともに、内容物が漏出することのないキャップを提供することを目的とする。
【課題を解決するための手段】
【０００８】
この発明は、側壁の内面に容器口部と螺合するねじ部を設け、該側壁に連続する頂壁のスポイト挿入口にスポイトを挿着するとともに、該頂壁の内面を前記スポイトのフランジ部上面に当接せしめたスポイト付きキャップであって；前記側壁の下端部に、該側壁の内径より大径の係止筒壁を連続して設け、該係止筒壁の内面に、前記容器口部のビードに係合する係止突起を設け、該係止筒壁に縦弱化部を設けたことを特徴とする。
【０００９】
この発明の弱化部が、切り欠き部、又は、薄肉部であることをすることを特徴とする。この発明の係止筒壁の肉厚が、側壁のそれより薄いことを特徴とする。この発明の側壁から係止筒壁にいたる外周面に、指掛け突起を連続して設けたことを特徴とする。
【発明の効果】
【００１０】
この発明は、側壁の下端部に、該側壁の内径より大径の係止筒壁を連続して設け、該係止筒壁の内面に、容器口部のビードに係合する係止突起を設け、該係止筒壁に縦弱化部を設けたので、閉蓋時には、係止突起が容器口部のビードに係合する。そのため、キャップの軸方向への変位は規制されるので、ねじの緩みを防止できるため、内容物が漏出するおそれはない。
【００１１】
又、係止筒壁は、側壁より撓みやすく、係止突起もビードに係脱し易いので、キャップを回転させて開蓋又は閉蓋する際に、係止突起は従来例ほど大きな摩擦抵抗を受けることはない。そのため、大きな回転トルクは必要とならないので、キャップの開閉を円滑に行うことができる。
【００１２】
更に、指掛け突起を側壁から係止筒壁にいたる外周面に設けたので、小さなキャップでも確実に、かつ容易に回転させることができる。又、指掛け突起が設けられた係止筒壁は他の係止筒壁よりも撓みにくく、ねじの緩みをより効果的に防止することができる。
【発明を実施するための最良の形態】
【００１３】
この発明の実施の形態を図１〜図３により説明する。
化粧品（液体）が収容されている、小型容器の口部１には、スポイト(Spuit)２が付いたキャップ３が螺着されている。
【００１４】
スポイト２は、弾性のある可撓性樹脂（例えば、ポリスチレン、合成ゴム、エラストマー等）で形成されたつまみ５と、該つまみ５に固定された硬質樹脂（例えば、ポリエチレン、ポリプロピレン、ガラス等）で形成されたノズル７とを備えている。このスポイト２のつまみ５の下端部には、フランジ部９が設けられ、パッキンの機能を備えている。
【００１５】
このフランジ部９の下面９ａは、前記容器口部１の上端面に当接し、又、その上面９ｂはキャップ１０の頂壁１２の内面に圧接している。前記頂壁１２の中央部にはスポイト挿入口１４が設けられている。
【００１６】
頂壁１２の周縁部は、側壁１６に連続している。該側壁１６は、例えば、その内径Ｌは、20mm、肉厚Ｔは1.1mmに形成され、その内面には、口部１のおねじ１ａと螺合するめねじ１６ａが設けられている。
【００１７】
側壁１６の下端部には、係止筒壁２０が連続して設けられている。該係止筒壁２０は、例えば、その内径Ｌ１は24mmであり、前記側壁１６の内径Ｌよりも大径に形成され、又、その肉厚Ｔ１は1.0mmであり、前記側壁１６の肉厚Ｔより薄く形成されている。そのため、係止筒壁２０は側壁１６より撓みやすくなっている。
【００１８】
係止筒壁２０の内面下端部には、容器口部１のビード２２に係合する係止突起２４が設けられている。この係止筒壁２０には、断面Ｖ字状の切欠き部２６が設けられているが、この切欠き部２６は、所謂縦弱化部であり、該係止筒壁２０の変形を助勢する機能を有する。この切欠き部２６は、係止筒壁２０の下端２０ａから上端（大径開始端部）２０ｂまで軸方向に伸びており、周方向に間隔をおいて６本形成されている。
前記係止突起２４は、前記切欠き部２６により６個の円弧状の係止突起部（中心角度約60度）に分割されているが、この係止突起部の周方向の長さは、必要に応じて適宜選択することができ、例えば、その中心角度を５度にし、該係止突起部を周方向に適当な間隔をおいて配設しても良い。
【００１９】
この切欠き部２６の形状、大きさ、本数等は必要に応じて適宜選択され、例えば、１本の切欠き部が選択されたり、又は軸方向に対して傾斜した切欠き部が選択される。
【００２０】
前記弱化部として、切欠き部の代わりに、ミシン目や薄肉部にし、係止筒壁の変形を助勢するようにしても良い。
【００２１】
図１、２に示す如く側壁１６の上方から係止筒壁２０の下方にいたる外周面には、軸方向に伸びる指掛け突起２８が設けられている。この指掛け突起２８は、１８０度間隔で対向するように一対設けられており、他の係止筒壁よりも撓みにくく、摩擦抵抗を無用に大きくすることなくねじの緩みを効果的に防止する。この突起２８の数、位置、長さ等は実施例に限定されることなく必要に応じて適宜選択することができる。
【００２２】
次に、本実施の形態の作動について説明する。
開蓋時：
指掛け突起２８を指で掴んでキャップ３を開蓋方向に回す。この時、該指掛け突起２８があるので、キャップ３が小さくても容易に回転させる事が出来る。
【００２３】
そうすると、ビード２２と当接している係止突起２４は、摩擦抵抗を受けながら該ビード２２から外れるので、両者の係合は解除される。この時、係止筒壁２０は、側壁１６の内径より大径に形成され、かつ、切欠き部２６を備えているため、該側壁１６よりも撓み易く、係止突起２４も変形しやすので、前記摩擦抵抗は従来例に比べ大幅に低減される。そのため、キャップ３の回転トルクは小さくなるので、容易に回転させることが出来る。
【００２４】
更に、キャップ３を同方向に回して容器口部１から外し、つまみ５を指で摘んだ後、該指を離すと、ノズル７に化粧水が吸引されるので、その後化粧液を掌などに滴下させる。
【００２５】
閉蓋時：
ノズル７を容器内に挿入し、キャップ３を閉蓋方向に回して容器口部１に螺着し、フランジ部９の下面９ｑを容器口部１の上端面に当接させ、その上面９ｂを側壁１６の内面で押圧する。
【００２６】
この時、係止筒壁２０は、前述のように、側壁１６よりも撓み易く、かつ、係止突起２４も変形しやすいので、係止突起２４とビード２２の係合を円滑に行うことが出来る。この時、係止筒壁の指掛け突起２８に対応している部分（厚肉部分）は、他の部分よりも撓みにくいので、前記厚肉部分に対応する係止突起は、他の部分における係止突起よりも強くビード２２に係合する。
【００２７】
前記係止突起２４とビード２２との係合により、キャップ３の軸方向への変位は確実に規制されるので、閉蓋中にフランジ部９（パッキン）に生じたねじれが、戻ろうとする復元力が働いても、該キャップ３が緩むことはない。そのため、内容物の漏出を防止することが出来る。
【図面の簡単な説明】
【００２８】
【図１】本発明の実施の形態を示す平面図である。
【図２】図１のII―II線断面拡大図である。
【図３】キャップを容器に装着した状態を示す縦断面の要部拡大図である。
【符号の説明】
【００２９】
１      容器口部
２      スポイト
３      キャップ
５      つまみ
９      ガラスノズル
9a      下面
9b      上面
12      頂壁
16      側壁
20      係止筒壁
22      ビード
24      係止突起
26      切欠き部
28      指掛け突起
Ｌ      側壁の内径
Ｌ1    係止筒壁の内径
【図１】
2006347551.tif 000003
【図２】
2006347551.tif 000004
【図３】
2006347551.tif 000005